(57)【特許請求の範囲】
【請求項１】
映像と付加情報とが再生時刻を介して互いに関連付けられている構造をそれぞれ有し、互いに異なる第１および第２のコンテンツを再生するコンテンツ再生装置であって、
上記第１のコンテンツを、音声出力を伴い、かつ少なくとも上記映像を表示装置に表示する形で再生する第１のコンテンツ再生制御手段と、
上記第２のコンテンツを、音声出力を伴わず、かつ上記付加情報の表示タイミングに同期させて上記映像を上記表示装置に表示する形で再生する第２のコンテンツ再生制御手段と、
上記第２のコンテンツを、上記第１のコンテンツに関連するコンテンツとして取得する関連コンテンツ取得手段とを備えており、
上記第１のコンテンツおよび上記第２のコンテンツは、上記付加情報に含まれるキーワードに基づいて決定される複数の話題に区切られており、
上記関連コンテンツ取得手段は、上記第１のコンテンツに含まれる各上記話題に関連するコンテンツを上記第２のコンテンツとして取得することを特徴とするコンテンツ再生装置。
【請求項２】
上記関連コンテンツ取得手段は、予め定められた閾値以上の相関度を有する話題を、上記第２のコンテンツとして取得することを特徴とする請求項１に記載のコンテンツ再生装置。
【請求項３】
上記関連コンテンツ取得手段は、相関度の高い順に、予め定められた数の話題を、上記第２のコンテンツとして取得することを特徴とする請求項１または２に記載のコンテンツ再生装置。
【請求項４】
上記関連コンテンツ取得手段は、相関度の最も高い話題を、上記第２のコンテンツとして取得することを特徴とする請求項１または２に記載のコンテンツ再生装置。
【請求項５】
上記第１のコンテンツと、上記第２のコンテンツとをユーザーからの指示に基づいて入れ替えるコンテンツ切替手段をさらに備えていることを特徴とする請求項１から４のいずれか１項に記載のコンテンツ再生装置。
【請求項６】
上記表示装置において、上記第１のコンテンツを再生する領域の大きさは、上記第２のコンテンツを再生する領域の大きさよりも大きいことを特徴とする請求項１から５のいずれか１項に記載のコンテンツ再生装置。
【請求項７】
映像と付加情報とが再生時刻を介して互いに関連付けられている構造をそれぞれ有し、互いに異なる第１および第２のコンテンツを再生するコンテンツ再生方法であって、
上記第１のコンテンツを、音声出力を伴い、かつ少なくとも上記映像を表示装置に表示する形で再生する第１のコンテンツ再生制御ステップと、
上記第２のコンテンツを、音声出力を伴わず、かつ上記付加情報の表示タイミングに同期させて上記映像を上記表示装置に表示する形で再生する第２のコンテンツ再生制御ステップと、
上記第２のコンテンツを、上記第１のコンテンツに関連するコンテンツとして取得する関連コンテンツ取得ステップとを含み、
上記第１のコンテンツおよび上記第２のコンテンツは、上記付加情報に含まれるキーワードに基づいて決定される複数の話題に区切られており、
上記関連コンテンツ取得ステップにおいて、上記第１のコンテンツに含まれる各上記話題に関連するコンテンツを上記第２のコンテンツとして取得することを特徴とするコンテンツ再生方法。
【請求項８】
いずれもが映像と付加情報とが再生時刻を介して互いに関連付けられている構造を有する付加情報付コンテンツを再生する機能を有する第１のコンテンツ再生装置および第２のコンテンツ再生装置を備えたコンテンツ再生システムであって、
上記第１のコンテンツ再生装置は、
上記付加情報付コンテンツを、音声出力を伴い、かつ少なくとも上記映像を表示装置に表示する形で再生する第１のコンテンツとして再生する第１のコンテンツ再生制御手段と、
上記第１のコンテンツの付加情報を抽出する付加情報抽出手段と、
抽出した上記付加情報を、上記第２のコンテンツ再生装置へ送信する送信手段と、を備えており、
上記第２のコンテンツ再生装置は、
上記第１のコンテンツ再生装置から上記付加情報を受信する受信手段と、
上記付加情報に基づいて、上記第１のコンテンツに関連する第２のコンテンツを取得する関連コンテンツ取得手段と、
上記第２のコンテンツを、音声出力を伴わず、かつ上記付加情報の表示タイミングに同期させて上記映像を上記表示装置に表示する形で再生する第２のコンテンツ再生制御手段と、を備え、
上記第１のコンテンツおよび上記第２のコンテンツは、上記付加情報に含まれるキーワードに基づいて決定される複数の話題に区切られており、
上記関連コンテンツ取得手段は、上記第１のコンテンツに含まれる各上記話題に関連するコンテンツを上記第２のコンテンツとして取得することを特徴とするコンテンツ再生システム。
【請求項９】
いずれもが映像と付加情報とが再生時刻を介して互いに関連付けられている構造を有する付加情報付コンテンツを再生する機能を有する第１のコンテンツ再生装置および第２のコンテンツ再生装置を備えたコンテンツ再生システムであって、
上記第１のコンテンツ再生装置は、
上記付加情報付コンテンツを、音声出力を伴い、かつ少なくとも上記映像を表示装置に表示する形で再生する第１のコンテンツとして再生する第１のコンテンツ再生制御手段と、
上記第１のコンテンツを、上記第２のコンテンツ再生装置へ送信する送信手段と、を備えており、
上記第２のコンテンツ再生装置は、
上記第１のコンテンツを、上記第１のコンテンツ再生装置から受信する受信手段と、
上記第１のコンテンツを再生する上記第１のコンテンツ再生制御手段と、
上記第１のコンテンツの付加情報に基づいて、上記第１のコンテンツに関連する第２のコンテンツを取得する関連コンテンツ取得手段と、
上記第２のコンテンツを、音声出力を伴わず、かつ上記付加情報の表示タイミングに同期させて上記映像を上記表示装置に表示する形で再生する第２のコンテンツ再生制御手段と、を備え、
上記第１のコンテンツおよび上記第２のコンテンツは、上記付加情報に含まれるキーワードに基づいて決定される複数の話題に区切られており、
上記関連コンテンツ取得手段は、上記第１のコンテンツに含まれる各上記話題に関連するコンテンツを上記第２のコンテンツとして取得することを特徴とするコンテンツ再生システム。
【請求項１０】
請求項１から６のいずれか１項に記載のコンテンツ再生装置を動作させるプログラムであって、コンピュータを上記の各手段として機能させるためのプログラム。
【請求項１１】
請求項１０に記載のプログラムを記録しているコンピュータ読み取り可能な記録媒体。
【発明の詳細な説明】
【技術分野】
【０００１】
本発明は、互いに異なる２つの動画コンテンツを再生するコンテンツ再生装置、コンテンツ再生方法、コンテンツ再生システム、コンテンツ再生プログラムおよび該プログラムを記録した記録媒体に関する。
【背景技術】
【０００２】
近年、１画面上に２つの番組を同時に再生する機能を備えたテレビが開発されている。このような機能は、例えば、現在視聴している番組と同一時刻に放送されている番組（裏番組）を確認するために利用されている。具体的には、現在視聴している番組の裏番組としてスポーツ中継がある場合、他の番組を視聴しながら、裏番組であるスポーツ中継の試合結果を確認するなどの利用方法がある。この他にも、家族で視聴したい番組が異なる場合には、それぞれが視聴したい番組を１つのテレビで視聴することができるなどの利点がある。
【０００３】
また、ＰｉｎＰ（ピクチャインピクチャ）機能を備えたテレビであれば、視聴したい番組を大きく表示し、裏番組を小さく表示するなど、ユーザーの視聴に合わせた表示方法をとることもできる。
【発明の開示】
【発明が解決しようとする課題】
【０００４】
しかし、１画面上に２つの番組を同時に再生する場合、再生されている双方の番組の音声がスピーカーから同時に出力されると、再生されている番組の内容の理解が困難となる問題がある。そのため、１画面上に２つの番組を同時に再生する場合には、スピーカーから出力される音声をどちらか１つにする必要がある。この場合、スピーカーから音声が出力される番組の内容は、映像と音声とからその内容を十分に理解することができるが、音声の出力されない番組では、画面上に映像が表示されるのみであるため、その番組の内容を理解するには限界がある。
【０００５】
他にも、一方の番組の音声をスピーカーから出力し、もう一方の番組の音声をヘッドホンから出力する方法、または、それぞれの番組の音声を左右別々のスピーカーから出力する方法などもある。しかし、いずれの方法であっても、双方の番組の音声を聞いてその内容を理解しなければならないことに変わりはないため、上記した問題を根本的に解決することにはならない。
【０００６】
本発明は、上記の問題に鑑みてなされたものであり、その主たる目的は、互いに異なる２つの動画コンテンツを再生する場合であっても、ユーザー（視聴者）が、再生されている全ての動画コンテンツの内容を理解することができるコンテンツ再生装置、コンテンツ再生方法、コンテンツ再生システム、コンテンツ再生プログラムおよび該プログラムを記録した記録媒体を提供することにある。
【課題を解決するための手段】
【０００７】
（コンテンツ再生装置）
本発明に係るコンテンツ再生装置は、上記課題を解決するために、
映像と付加情報とが再生時刻を介して互いに関連付けられている構造をそれぞれ有し、互いに異なる第１および第２のコンテンツを再生するコンテンツ再生装置であって、
上記第１のコンテンツを、音声出力を伴い、かつ少なくとも上記映像を表示装置に表示する形で再生する第１のコンテンツ再生制御手段と、
上記第２のコンテンツを、音声出力を伴わず、かつ上記付加情報の表示タイミングに同期させて上記映像を上記表示装置に表示する形で再生する第２のコンテンツ再生制御手段とを備えていることを特徴としている。
【０００８】
本発明に係るコンテンツ再生装置において、第１のコンテンツ再生制御手段は、音声出力を伴い、かつ少なくとも上記映像を表示装置に表示し、第２のコンテンツ再生制御手段は、音声出力を伴うことなく、付加情報および映像をいずれも表示装置に表示する。
【０００９】
これによって、ユーザーは、第１のコンテンツの内容を映像および音声から理解することができ、かつ、第２のコンテンツの内容を映像および付加情報から理解することができる。すなわち、コンテンツ再生装置が、互いに異なる２つの動画コンテンツを再生する場合であっても、ユーザーは、再生されている全ての動画コンテンツの内容を理解することができる効果を奏する。
【００１０】
（コンテンツ再生方法）
本発明に係るコンテンツ再生方法は、上記課題を解決するために、
映像と付加情報とが再生時刻を介して互いに関連付けられている構造をそれぞれ有し、互いに異なる第１および第２のコンテンツを再生するコンテンツ再生方法であって、
上記第１のコンテンツを、音声出力を伴い、かつ少なくとも上記映像を表示装置に表示する形で再生する第１のコンテンツ再生制御ステップと、
上記第２のコンテンツを、音声出力を伴わず、かつ上記付加情報の表示タイミングに同期させて上記映像を上記表示装置に表示する形で再生する第２のコンテンツ再生制御ステップと、を含むことを特徴としている。
【００１１】
上記の構成によれば、本発明に係るコンテンツ再生装置と同様の作用効果を奏する。
【００１２】
（関連コンテンツの取得）
本発明に係るコンテンツ再生装置は、さらに、上記第１のコンテンツに関連する上記第２のコンテンツを取得する関連コンテンツ取得手段をさらに備えていることが好ましい。
【００１３】
上記の構成によれば、第２のコンテンツを、第１のコンテンツと関連性を有する関連コンテンツとして同時に再生することができると共に、ユーザーは、いずれの動画コンテンツの内容も理解することができる。これによって、ユーザーは、第１のコンテンツの内容をより一層掘り下げて知ることができる効果を奏する。
【００１４】
（関連コンテンツの取得方法）
本発明に係るコンテンツ再生装置は、さらに、上記第１のコンテンツおよび上記第２のコンテンツは、上記付加情報に含まれるキーワードに基づいて決定される複数の話題に区切られており、上記コンテンツ取得手段は、上記第１のコンテンツに含まれる各上記話題に関連するコンテンツを上記第２のコンテンツとして取得することが好ましい。
【００１５】
上記の構成によれば、関連コンテンツに含まれている複数の異なる話題を適宜抽出することによって、話題単位での関連コンテンツ（第２のコンテンツ）の視聴を可能にすることができる。
【００１６】
これによって、ユーザーは、第２のコンテンツのうち、第１のコンテンツに関連性の高い部分のみを短時間のうちに理解することができる効果を奏する。
【００１７】
（関連コンテンツの選択）
本発明に係るコンテンツ再生装置は、さらに、上記コンテンツ取得手段は、予め定められた閾値以上の相関度を有する話題を、上記第２のコンテンツとして選択することが好ましい。
【００１８】
上記の構成によれば、第１のコンテンツに対してある程度の関連性を有するコンテンツを第２のコンテンツとして自動的に取得することができる効果を奏する。
【００１９】
（関連コンテンツの選択）
本発明に係るコンテンツ再生装置は、さらに、上記コンテンツ取得手段は、相関度の高い順に、予め定められた数の話題を、上記第２のコンテンツとして選択することが好ましい。
【００２０】
上記の構成によれば、ユーザーは、第１のコンテンツに対して関連性の高いコンテンツを容易に識別することができる効果を奏する。
【００２１】
（関連コンテンツの選択）
本発明に係るコンテンツ再生装置は、さらに、上記コンテンツ取得手段は、相関度の最も高い話題を、上記第２のコンテンツとして選択することが好ましい。
【００２２】
上記の構成によれば、第２のコンテンツは、第１のコンテンツと最も関連性の高い動画コンテンツとなる。したがって、ユーザーは、第１のコンテンツの内容をさらに一層掘り下げて知ることができる効果を奏する。
【００２３】
（動画コンテンツの切り替え）
本発明に係るコンテンツ再生装置は、さらに、上記第１のコンテンツと、上記第２のコンテンツとをユーザーからの指示に基づいて入れ替えるコンテンツ切替手段をさらに備えていることが好ましい。
【００２４】
上記の構成によれば、第２のコンテンツの内容が第１のコンテンツの内容よりもユーザーにとって興味深い内容であった場合、第２のコンテンツと第１のコンテンツとを切り替えることにより、ユーザーにとって最も興味のある動画コンテンツを映像と音声とから楽しむことができる効果を奏する。
【００２５】
（各動画コンテンツの表示領域）
本発明に係るコンテンツ再生装置は、さらに、上記表示装置において、上記第１のコンテンツを再生する領域の大きさは、上記第２のコンテンツを再生する領域の大きさよりも大きいことが好ましい。
【００２６】
ユーザーが、第１のコンテンツをメインとして視聴する場合には、最も内容を理解したい動画コンテンツを最も大きく表示することができる。これによって、ユーザーが最も内容を理解したい動画コンテンツを最も集中しやすい環境において視聴することができる効果を奏する。
【００２７】
（コンテンツ再生システム）
本発明に係るコンテンツ再生システムは、上記課題を解決するために、
いずれもが映像と付加情報とが再生時刻を介して互いに関連付けられている構造を有する付加情報付コンテンツを再生する機能を有する第１のコンテンツ再生装置および第２のコンテンツ再生装置を備えたコンテンツ再生システムであって、
上記第１のコンテンツ再生装置は、
上記付加情報付コンテンツを、音声出力を伴い、かつ少なくとも上記映像を表示装置に表示する形で再生する第１のコンテンツとして再生する第１のコンテンツ再生制御手段と、
上記第１のコンテンツの付加情報を抽出する付加情報抽出手段と、
抽出した上記付加情報を、上記第２のコンテンツ再生装置へ送信する送信手段と、を備えており、
上記第２のコンテンツ再生装置は、
上記第１のコンテンツ再生装置から上記付加情報を受信する受信手段と、
上記付加情報に基づいて、上記第１のコンテンツに関連する第２のコンテンツを取得する関連コンテンツ取得手段と、
上記第２のコンテンツを、音声出力を伴わず、かつ上記付加情報の表示タイミングに同期させて上記映像を上記表示装置に表示する形で再生する第２のコンテンツ再生制御手段と、を備えていることを特徴としている。
【００２８】
（コンテンツ再生システム）
本発明に係るコンテンツ再生システムは、上記課題を解決するために、
いずれもが映像と付加情報とが再生時刻を介して互いに関連付けられている構造を有する付加情報付コンテンツを再生する機能を有する第１のコンテンツ再生装置および第２のコンテンツ再生装置を備えたコンテンツ再生システムであって、
上記第１のコンテンツ再生装置は、
上記付加情報付コンテンツを、音声出力を伴い、かつ少なくとも上記映像を表示装置に表示する形で再生する第１のコンテンツとして再生する第１のコンテンツ再生制御手段と、
上記第１のコンテンツを、上記第２のコンテンツ再生装置へ送信する送信手段と、を備えており、
上記第２のコンテンツ再生装置は、
上記第１のコンテンツを、上記第１のコンテンツ再生装置から受信する受信手段と、
上記第１のコンテンツを再生する上記第１のコンテンツ再生制御手段と、
上記第１のコンテンツの付加情報に基づいて、上記音声出力コンテンツに関連する第２のコンテンツを取得する関連コンテンツ取得手段と、
上記第２のコンテンツを、音声出力を伴わず、かつ上記付加情報の表示タイミングに同期させて上記映像を上記表示装置に表示する形で再生する第２のコンテンツ再生制御手段と、を備えていることを特徴としている。
【００２９】
上記の構成によれば、ユーザーは、第１のコンテンツおよび第２のコンテンツのいずれの内容も理解することができる効果を奏する。また、第２のコンテンツの内容から、第１のコンテンツの内容をより一層掘り下げて知ることができる効果も併せて奏する。
【００３０】
なお、本発明に係るコンテンツ再生装置は、コンピュータによって実現してもよい。この場合、コンピュータを上記各手段として動作させることにより上記コンテンツ再生装置をコンピュータにおいて実現するコンテンツ再生プログラム、およびそのコンテンツ再生プログラムを記録したコンピュータ読み取り可能な記録媒体も、本発明の範疇に含まれる。
【発明の効果】
【００３１】
以上のように、本発明に係るコンテンツ再生装置は、第１のコンテンツ再生制御手段は、音声出力を伴い、かつ少なくとも上記映像を表示装置に表示し、第２のコンテンツ再生制御手段は、音声出力を伴うことなく、付加情報および映像をいずれも表示装置に表示する。
【００３２】
これによって、コンテンツ再生装置が、互いに異なる２つの動画コンテンツを再生する場合であっても、ユーザーは、再生されている全ての動画コンテンツの内容を理解することができる効果を奏する。
【発明を実施するための最良の形態】
【００３３】
〔実施形態１〕
（字幕付コンテンツ）
本実施形態を説明するに先立って、まず、字幕付コンテンツ（付加情報付コンテンツ）の詳細について以下に説明する。字幕付コンテンツは、字幕と映像とが再生時刻を介して互いに関連付けられている構造を有する。すなわち、複数の字幕と、動画を構成する複数の映像とを含んでいる。そして、各映像のうち少なくとも一部には、その再生時刻を介して、字幕が関連付けられている。言い換えれば、全ての映像に字幕が関連付けられていなくでもよく、動画コンテンツ内には字幕のない映像が存在していてもよい。
【００３４】
また、字幕付コンテンツでは、必ずしもすべての映像に字幕が関連付けられているわけではない。通常は、ある特定の映像に対して字幕が関連付けられているのみであり、字幕付コンテンツ内において、字幕がまったく関連付けられていない映像が一定時間連続する箇所も多くある。そのため、字幕付コンテンツ内の字幕を続けて再生する場合、字幕が無い映像は表示しないことになる。これにより、視聴するユーザは、連続的に表示される字幕を読み進めることによって、字幕付コンテンツの内容を把握しつつ、字幕の無い部分の映像は視聴せずに済む。すなわち、ユーザーは、字幕付コンテンツの映像の一部だけを視聴するのみで、字幕付コンテンツの内容を把握することができる。
【００３５】
（コンテンツ再生装置）
本発明に係るコンテンツ再生装置は、互いに異なる２つのコンテンツを再生するコンテンツ再生装置であり、１つのコンテンツを、音声出力を伴い、かつ少なくとも映像を表示装置に表示する形で再生する再生制御手段と、他のコンテンツを、音声出力を伴わず、かつ付加情報の表示タイミングに同期させて映像を表示装置に表示する形で再生する再生制御手段とを備えている。このようなコンテンツ再生装置の詳細について、以下に説明する。
【００３６】
（コンテンツ再生装置１の構成）
本発明に係る一実施形態について、図１〜３を参照して以下に説明する。まず、本実施形態におけるコンテンツ再生装置の要部構成を図１に示す。コンテンツ再生装置１は、図１に示すように、再生制御部２、コンテンツ切替部３、操作入力部４、コンテンツ取得部５、コンテンツデータベース６、表示装置１１および音声出力装置１２を備えている。上記の各部材の機能については、以下に詳述する。なお、本実施形態では、付加情報が字幕である場合を例に挙げて説明する。
【００３７】
（再生制御部２）
再生制御部２は、例えば、再生する動画コンテンツの選択および再生している動画コンテンツの表示方法など、コンテンツ再生装置１における動画コンテンツの再生全般を制御する。図１に示すように、再生制御部２は、本線コンテンツ再生制御部（第１のコンテンツ再生制御手段）７、および従属コンテンツ再生制御部（第２のコンテンツ再生制御手段）８を備えている。それぞれの機能については、以下に説明する。
【００３８】
なお、本明細書等においては、音声出力を伴って再生される動画コンテンツ（第１のコンテンツ）を「本線コンテンツ」と称し、音声出力を伴うことなく再生される動画コンテンツ（第２のコンテンツ）を「従属コンテンツ」と称する。これらの名称は、本発明の理解を容易とするための便宜上のものであり、実際にいずれを本線コンテンツとして視聴し、いずれを従属コンテンツとして視聴するかは、コンテンツ再生装置１を用いるユーザーにより決定される。
【００３９】
（本線コンテンツ再生制御部７）
本線コンテンツ再生制御部７は、コンテンツ取得部５において取得された動画コンテンツ、またはコンテンツデータベース６に保存（録画、記録）されている動画コンテンツのうちの一つの動画コンテンツを本線コンテンツとして再生する。本線コンテンツ再生制御部７の動作については、下記に説明する。
【００４０】
（従属コンテンツ再生制御部８）
従属コンテンツ再生制御部８は、字幕付コンテンツを、従属コンテンツとして再生する。従属コンテンツ再生制御部８は、図１に示すように、字幕表示部９および映像表示部１０を備えている。従属コンテンツ再生制御部８では、字幕表示部９が字幕を表示装置１１に表示し、映像表示部１０が映像を字幕と共に、表示装置１１に表示する。
【００４１】
なお、図１には、字幕表示部９および映像表示部１０が１つずつ備えられている場合について図示しているが、これに限定されるものではない。また、従属コンテンツを複数再生する場合には、各従属コンテンツの表示領域の大きさを相対的に小さくしなければならない。したがって、従属コンテンツが複数再生される場合には、ユーザーが従属コンテンツを視聴しやすくするために、従属コンテンツ再生制御部８は、再生するコンテンツの数および、従属コンテンツを表示する領域の大きさに応じて、表示する字幕の文字のフォントサイズを小さくしたり、一度に表示する字幕の数を少なくするなどする。
【００４２】
（コンテンツ切替部３）
コンテンツ切替部３は、操作入力部４からの指示に基づいて、本線コンテンツと、従属コンテンツと入れ替える。コンテンツ切替方法の詳細については下記に詳述する。
【００４３】
（操作入力部４）
操作入力部４は、ユーザーからの再生する動画コンテンツの選択、および再生している動画コンテンツに対する指示などの操作入力を受け付けるものである。操作入力部４は、キー入力などの入力インターフェースを備えている。なお、本実施形態では、操作表示部４が、コンテンツ再生装置１に備えられている場合について図示しているが、これに限定されるものではなく、例えば、リモコンのようにコンテンツ再生装置１から分離しているものであってもよい。
【００４４】
（コンテンツ取得部５、コンテンツデータベース６）
コンテンツデータベース６は、コンテンツ取得部５において取得された動画コンテンツを記録（録画、保存）する記録媒体である。また、コンテンツ取得部５は、動画コンテンツを取得する手段である。コンテンツ取得部５としては、例えば、デジタル放送の受信するためのアンテナ、ネットワーク通信手段、ＳＤカードおよび光ディスクなどの記録媒体から動画コンテンツを取得する読取手段などを挙げることができる。
【００４５】
また、コンテンツ取得部５により取得される動画コンテンツは、ストリーミングにより再生されるものであってもよいし、ダウンロードされた後に再生されるものであってもよい。また、コンテンツ取得部５により取得される動画コンテンツがダウンロードされた後に再生される場合、ダウンロードされた動画コンテンツは、コンテンツデータベース６に保存されるようにしてもよいし、コンテンツデータベース６などの記録媒体に一時的に保存され、再生が終了した後に消去されるようにしてもよい。
【００４６】
（表示装置１１および音声出力装置１２）
表示装置１１は、映像などの画像を表示するものであり、例えばテレビなどのモニターである。音声出力装置１２は、音声情報を出力するものであり、例えばスピーカなどである。
【００４７】
（コンテンツ再生装置１の動作）
コンテンツ再生装置１の動作の一例について、以下に説明する。
【００４８】
ユーザーが操作入力部４に２つの動画コンテンツを再生する指示を入力すると、操作入力部４は、コンテンツ再生制御部２に対して、ユーザーにより選択された動画コンテンツを再生するように指示を送る。コンテンツ再生制御部２は、本線コンテンツ再生制御部７および従属コンテンツ再生制御部８に対して、選択された動画コンテンツを再生するように指示する。
【００４９】
本線コンテンツ再生制御部７は、コンテンツ再生制御部２からの指示を受けて、本線コンテンツとして再生するように指示された動画コンテンツの再生を開始する。再生される動画コンテンツは、コンテンツ取得部５から取得されたものであってもよいし、またコンテンツデータベース６に保存されているものであってもよい。
【００５０】
本線コンテンツ再生制御部７は、映像を表示装置１１に表示させつつ、その映像と同期させて音声を音声出力装置１２から出力する。すなわち、本線コンテンツ再生制御部７は、本線コンテンツを通常の再生方法により再生する。これによって、ユーザーは、従来と同様に、本線コンテンツの内容を、映像および音声から理解することができる。
【００５１】
一方、従属コンテンツ再生制御部８は、コンテンツ再生制御部２からの指示を受けて、従属コンテンツとして再生するように指示された字幕付コンテンツの再生を開始する。再生される字幕付コンテンツは、本線コンテンツと同様に、コンテンツ取得部５から取得されてもよいし、またコンテンツデータベース６に保存されているものであってもよい。
【００５２】
従属コンテンツ再生制御部８による字幕付コンテンツの再生について、具体的に説明する。字幕表示部９は、複数の字幕を動画コンテンツ内の先頭（再生開始時刻）から順次、画面上に並べてスクロール表示する。その一方で、映像表示部１０は、表示対象の字幕に関連付けられている映像を、字幕表示部９による字幕の表示タイミングに同期させて表示装置１１に表示する。すなわち、表示装置１１には、字幕と映像とがいずれも表示される。このとき、従属コンテンツは、音声出力装置１２から音声を出力することなく再生される。これによって、ユーザーは、従属コンテンツを字幕ベースで視聴することになる。そのため、ユーザーは、従属コンテンツの内容を、表示装置１１に表示される映像および字幕から理解することができる。
【００５３】
したがって、ユーザーは、表示装置１１において再生される本線コンテンツおよび従属コンテンツの内容をいずれも理解することができる。
【００５４】
（表示装置１１における複数の動画コンテンツの表示）
コンテンツ再生装置１の表示装置１１における２つの動画コンテンツの表示について、図２を参照して以下に説明する。図２は、実施形態１に係るコンテンツ再生装置１における表示装置１１上での動画コンテンツの表示を概略的に示す図である。
【００５５】
本実施形態では、図２に示すように、表示装置１１を仮想的に分割した領域の一つである表示領域２０に本線コンテンツを再生し、もう一方の表示領域２１に従属コンテンツを再生する場合について説明する。もちろん、ここで説明する表示は一例であり、従属コンテンツを再生する表示領域が２つ以上あってもよい。
【００５６】
また、図２では、表示装置１１の動画コンテンツ表示画面を２つに分割する場合を示しているが、コンテンツ再生装置１がＰｉｎＰ機能を有しているような場合には、表示領域２０に表示領域２１をオーバーラップされるように表示してもよい。もちろん、この逆もまた然りである。
【００５７】
なお、表示領域２０および２１は、本発明の理解を容易とするために便宜上設けたものであり、表示装置１１が実際に分割されているわけではない。各領域の境界線は、本線コンテンツとして表示される映像と、従属コンテンツとして表示される映像との境目である。
【００５８】
各表示領域の大きさ、すなわち本線コンテンツとして表示する映像の大きさと従属コンテンツとして表示する映像の大きさは、それぞれ任意であってよい。しかし、従来と同様に映像と音声とから内容を理解する本線コンテンツをメインに視聴するユーザーが多いと考えられるため、本線コンテンツを再生する表示領域を最も大きくすることが好ましい。これによって、ユーザーは、最も内容を理解したい動画コンテンツを集中しやすい環境において視聴することができる。
【００５９】
表示領域２０では、本線コンテンツ再生制御部７により再生される本線コンテンツの映像である映像３０が表示されると共に、映像３０と同期して出力される音声３１が音声出力装置１２より出力されている。すなわち、ユーザーは、映像３０を視覚的に捉えつつ、音声３１を聞くことができるため、現在表示領域２０において再生されている本線コンテンツの内容が、「バイオエタノール」に関する内容であることを理解することができる。
【００６０】
一方、表示領域２１では、従属コンテンツ再生制御部８により再生される従属コンテンツにおける字幕３４と、字幕３４に同期させて表示される映像３３とが表示されている。このとき、従属コンテンツの音声は、音声出力装置１２からは出力されていない。しかし、ユーザーは、映像３３および字幕３４をいずれも視覚的に捉えることができるため、その内容を理解することができる。これによって、本線コンテンツの内容が、「バイオエタノール」に関することを理解しつつ、表示領域２１において再生される従属コンテンツの内容が、「燃料としてバイオエタノール燃料を用いる車の発表」に関することを理解することができる。
【００６１】
表示領域２０、２１には、映像３０、３３および字幕３２、３４だけでなく、出力されている音声がどのコンテンツのものであるのかを示すようにしてもよい。例えば、表示領域２０に音声が出力されていることを示すアイコン３６を表示し、表示領域２１に音声が出力されていないことを示すアイコン３７を表示するようにする。もちろん、これに限定されるものではなく、アイコン３６のみを表示するようにしてもよいし、アイコン３７を表示するようにしてもよい。また、従属コンテンツが複数表示される場合には、アイコン３７も複数表示されることが好ましい。
【００６２】
また、字幕３４は、予め設定された速度でスクロール表示されることが好ましい。従属コンテンツでは、字幕３４の表示と同期するように映像３３が表示されるため、字幕３４の表示速度が速くなれば、それに合わせて映像の表示速度も速くなる。したがって、字幕の表示速度を速くすることによって、従属コンテンツ自体の再生を速くすることができる。そのため、ユーザーは、実際に視聴するよりも短い時間で従属コンテンツとして再生する動画コンテンツの内容を理解することができる。
【００６３】
なお、本線コンテンツ再生制御部７が、従属コンテンツ再生制御部８と同様に字幕表示部９および映像表示部１０を備えており、かつ、本線コンテンツ再生制御部７により再生される動画コンテンツが字幕付コンテンツである場合には、図２に示すように、本線コンテンツにおいても、字幕３２を表示することができる。これによって、映像および音声に加えて、字幕からも本線コンテンツの内容を理解することができるため、ユーザーは、より一層容易に本線コンテンツの内容を理解することができる。
【００６４】
（本線コンテンツを従属コンテンツに切り替える切替方法の詳細）
次に、本線コンテンツとして再生している動画コンテンツを、従属コンテンツとして再生している動画コンテンツに切り替える切替方法の詳細について以下に説明する。なお、本明細書等における「本線コンテンツを従属コンテンツに切り替える」とは、本線コンテンツとして再生していた動画コンテンツを従属コンテンツとして再生し、従属コンテンツとして再生していた動画コンテンツを本線コンテンツとして再生するように、各動画コンテンツを入れ替えることを意味している。
【００６５】
ユーザーが操作入力部４に対して、本線コンテンツを従属コンテンツに切り替える操作を入力すると、操作入力部４はコンテンツ切替部３に対して本線コンテンツを従属コンテンツに切り替えて表示するように指示を送る。コンテンツ切替部３は、操作入力部４からの指示を受けると、コンテンツ再生制御部２に対して、これまで本線コンテンツ再生制御部７により再生制御を行っていた動画コンテンツを従属コンテンツ再生制御部８において制御するように指示すると共に、これまで従属コンテンツ再生制御部８により再生制御を行っていた動画コンテンツを本線コンテンツ再生制御部７において制御するように指示する。これによって、本線コンテンツを従属コンテンツに切り替えることができる。すなわち、本線コンテンツとして再生される動画コンテンツが従属コンテンツとして再生され、従属コンテンツとして再生されていた動画コンテンツが本線コンテンツとして再生される。
【００６６】
各動画コンテンツを切り替えた場合の表示について、図３を参照して以下に説明する。図３に示すように、表示領域２０には映像３３が表示されると共に、音声出力装置１２より映像３３と同期して出力される音声３５が出力されるようになる。そして、表示領域２１には、再生時刻を介して関連付けられている映像３０と字幕３２とが表示される。なお、本線コンテンツ再生制御部７が字幕表示部９と映像表示部１０とを備えている場合には、図３に示すように、字幕３４を表示するようにしてもよい。
【００６７】
これによって、従属コンテンツの内容が本線コンテンツの内容よりもユーザーにとって興味深い内容であった場合、従属コンテンツと本線コンテンツとを切り替えることにより、より興味のある動画コンテンツをメインとして視聴することができる。
【００６８】
なお、図３では、本線コンテンツを従属コンテンツに切り替える際に、それぞれのコンテンツが表示される領域も入れ替えているが、もちろん入れ替えなくてもよい。また、各コンテンツの再生される位置（図２および３では、本線コンテンツが向かって左であり、従属コンテンツが向かって右である）はそのままで、各表示領域の大きさのみを変更するようにしてもよいし、しなくてもよい。これは、ＰｉｎＰ機能を用いて、一方の表示領域をもう一方の表示領域にオーバーラップさせて表示する場合であっても同様である。
【００６９】
操作入力部４からの入力としては、例えばコンテンツ切替ボタンによる入力などを挙げることができる。従属コンテンツとして再生している動画コンテンツが２つ以上ある場合には、いずれの動画コンテンツを本線コンテンツに切り替えるのかを選択する必要があるため、ポインタなどにより切り替える対象となる従属コンテンツを選択できるようにすることが好ましい。また、表示装置１１がタッチパネル機能を有している場合には、ユーザーがタッチペンなどを用いて切り替える従属コンテンツを選択するようにしてもよい。
【００７０】
また、本線コンテンツが記録された動画コンテンツである場合には、本線コンテンツを従属コンテンツに切り替える際に、本線コンテンツとして再生していた動画コンテンツを一時停止状態としておいてもよい。すなわち、本線コンテンツとして再生していた動画コンテンツを従属コンテンツに切り替える時点で一時停止しておき、従属コンテンツとして再生されていた動画コンテンツの本線コンテンツとしての視聴が終了した後、切り替えた時点から一時停止していた動画コンテンツを、本線コンテンツとして再度再生するようにしてもよい。
【００７１】
なお、切り替え前に本線コンテンツ再生制御部７により再生されている動画コンテンツが字幕付コンテンツでない場合には、切り替え後には、映像が表示されるだけとなってしまい、その内容を理解することができなくなるおそれがある。そのため、本線コンテンツ再生部７により再生されている動画コンテンツが字幕付コンテンツであるか否かを識別し、字幕付コンテンツではない場合には、切り替え動作を中止する手段を備えていることが好ましい。
【００７２】
（付記事項）
本実施形態では、コンテンツ再生装置１は、表示装置１１および音声出力装置１２を備えているが、これに限定されるものではなく、表示装置１１および音声出力装置１２は、コンテンツ再生装置１と別の構成であってもよい。また、コンテンツ再生装置１は、表示装置１１および音声出力装置１２のいずれか一方のみを備えた構成であってもよい。
【００７３】
〔実施形態２〕
（コンテンツ再生装置１ｂの構成）
本発明に係るコンテンツ再生装置の一実施形態について、図４〜６を参照して以下に説明する。本実施形態では、従属コンテンツが、本線コンテンツとして再生されている動画コンテンツに関連する関連コンテンツ（第２のコンテンツ）である場合について説明する。なお、本実施形態においても、実施形態１と同様に、付加情報が字幕である場合を例に挙げて説明する。
【００７４】
ここで、本実施形態における動画コンテンツは、少なくとも１種類の所定のキーワードを有する１つ以上の話題に区切られている。本明細書等における「話題」とは、字幕付コンテンツにおける字幕（字幕データ）に含まれる互いに同一のキーワードごとの重なり数が、予め定められた基準数（例えば、１つ）を下回る再生時刻に挟まれた部分を指す。
【００７５】
本実施形態におけるコンテンツ再生装置の要部構成を図４に示す。図４は、コンテンツ再生装置１ｂの要部構成を示すブロック図である。なお、実施形態１と同様の部材については、同じ参照符号を付し、その詳細な説明を省略する。したがって、本実施形態では、関連コンテンツ取得部５０についてのみ以下に説明する。また、実施形態１と同様の用語は、同様の意味で用いている。
【００７６】
（関連コンテンツ取得部５０）
関連コンテンツ取得部５０は、コンテンツ取得部５により取得され、コンテンツデータベース６に記録（録画、保存）されている動画コンテンツのうち、本線コンテンツ再生制御部７により本線コンテンツとして再生される動画コンテンツと関連のある動画コンテンツを取得する。すなわち、関連コンテンツ取得部５０により本線コンテンツと関連性を有していると判定された動画コンテンツは、従属コンテンツ（第２のコンテンツ）として再生されるが、関連性を有していないと判定された動画コンテンツは、従属コンテンツ（第２のコンテンツ）として再生されない。
【００７７】
関連コンテンツ取得部５０の構成について、図５を参照しつつ、以下に説明する。図５は、関連コンテンツ取得部５０の構成を示すブロック図である。関連コンテンツ取得部５０は、図５に示すように、話題相関データベース作成部５１、話題相関データベース５２、関連コンテンツ選択部５３、およびユーザーデータベース５４を備えている。これらの各部材の機能については、以下に説明する。
【００７８】
（話題相関データベース作成部５１）
話題相関データベース作成部５１は、話題に含まれるキーワードの評価値に基づき、当該話題を他のコンテンツに関連付け、話題相関データベース５１を作成する。なお、評価値とは、動画コンテンツから抽出した話題ごとに、当該話題に含まれるキーワードの、当該話題における所定の値である。
【００７９】
話題相関データべース作成部５１における話題相関データベースの作成方法の詳細は、下記に詳述する。
【００８０】
（話題相関データベース５２）
話題相関データベース５２は、話題同士の相関度を管理する話題相関テーブルを記録している。話題相関テーブルは、話題各々の相互の相関度を管理したテーブルである。
【００８１】
（関連コンテンツ選択部５３）
関連コンテンツ選択部５３は、話題相関データベース５２に基づいて、従属コンテンツとして再生する関連コンテンツを選択する。
【００８２】
（ユーザーデータベース５４）
ユーザーデータベース５４は、ユーザに関するユーザキーワードと、評価値とを関連付けた構造のユーザ情報を記憶している。
【００８３】
（コンテンツ再生装置１ｂの動作）
コンテンツ再生装置１ｂの動作の一例について、以下に説明する。
【００８４】
ユーザーが操作入力部４に本線コンテンツの再生指示を入力すると、操作入力部４は、コンテンツ再生制御部２に対して本線コンテンツ再生制御部７において、ユーザーにより選択された動画コンテンツを本線コンテンツとして再生するように指示を送る。
【００８５】
本線コンテンツ再生制御部７は、コンテンツ再生制御部２からの指示を受けて、コンテンツ取得部５またはコンテンツデータベース６から本線コンテンツとして再生するように指示された動画コンテンツの再生を開始する。このとき、本線コンテンツ再生制御部７は、映像を表示装置１１に表示させつつ、その映像と同期させて音声を音声出力装置１２から出力する。すなわち、本線コンテンツ再生制御部７は、本線コンテンツを通常の再生方法により再生する。これによって、ユーザーは、従来と同様に、本線コンテンツの内容を、映像および音声から理解することができる。
【００８６】
本線コンテンツの再生と同時に、関連コンテンツ取得部５０は、従属コンテンツとして再生する関連コンテンツの取得を開始する。関連コンテンツ取得部５０は、本線コンテンツとして再生している動画コンテンツと関連性を有する動画コンテンツをコンテンツデータベース６から取得する。なお、関連コンテンツの取得の詳細な方法は、下記に詳述する。
【００８７】
従属コンテンツ再生制御部８は、関連コンテンツ取得部５０において取得された関連コンテンツの再生を開始する。このとき、関連コンテンツは、音声出力装置１２から音声を出力することなく再生される。これによって、ユーザーは、関連コンテンツの内容を、表示装置１１に表示される映像および字幕から理解することができる。その他の具体的な再生方法については実施形態１と同様であるため、ここではその説明を省略する。
【００８８】
このように、コンテンツ再生装置１ｂでは、本線コンテンツと、その本線コンテンツと関連性の高い関連コンテンツとを同時に再生することができ、かつ、ユーザーは、いずれのコンテンツの内容も理解することができる。すなわち、ユーザーは、本線コンテンツの内容だけでなく、関連コンテンツの内容も同時に理解することができるため、本線コンテンツの内容をより一層掘り下げて知ることができる。
【００８９】
なお、上述したコンテンツ再生装置１ｂの動作では、関連コンテンツをコンテンツデータベース６から取得する場合について説明したが、これに限定されるものではない。例えば、字幕付コンテンツを記録したデータベース（記録媒体）は、コンテンツ再生装置１ｂの外部に備えられていてもよい。すなわち、有線通信、無線通信、あるいはネットワーク通信などを利用して、コンテンツ再生装置１ｂの外部に備えられたデータベースから関連コンテンツを取得するようにしてもよい。
【００９０】
また、関連コンテンツの種類は、字幕付コンテンツであれば特に限定されるものではない。例えば、放送コンテンツであってもよいし、ウェブサーバ上に保存されているコンテンツであってもよい。すなわち、本線コンテンツが放送コンテンツであり、従属コンテンツがウェブサーバ上のコンテンツとするなど、本線コンテンツと異なるメディアのコンテンツを関連コンテンツとして取得することもできる。
【００９１】
（表示装置１１における本線コンテンツと関連コンテンツとの表示）
コンテンツ再生装置１ｂによる本線コンテンツと関連コンテンツとの表示について、図６を参照して以下に説明する。図６は、実施形態２に係るコンテンツ再生装置１ｂにおける表示装置１１上での動画コンテンツの表示を概略的に示す図である。
【００９２】
本実施形態では、図６に示すように、表示装置１１を仮想的に分割した領域の一つである表示領域２０に本線コンテンツを再生し、表示領域２１に関連コンテンツを再生する場合について説明する。もちろん、実施形態１と同様に、関連コンテンツを再生する表示領域が２つ以上あってもよい。また、コンテンツ再生装置１ｂがＰｉｎＰ機能を有しているような場合には、実施形態１と同様に、表示領域２０に表示領域２１をオーバーラップされるように表示してもよいし、表示領域２１を表示領域２０にオーバーラップさせるように表示してもよい。
【００９３】
表示領域２０では、本線コンテンツ再生制御部７により再生される本線コンテンツの映像である映像３０が表示されると共に、映像３０と同期して出力される音声３１が音声出力装置１２より出力される。すなわち、ユーザーは、映像３０を視覚的に捉えつつ、音声３１を聞くことができるため、表示領域２０において現在再生されている本線コンテンツの内容が、「バイオエタノール」に関する内容であることを理解することができる。
【００９４】
一方、表示領域２１では、関連コンテンツ取得部５０において取得された、本線コンテンツに対して関連性を有する関連コンテンツが、従属コンテンツ再生制御部８により再生される。関連コンテンツは、実施形態１と同様に、字幕３４と、字幕３４に同期させて表示される映像３とが表示領域２１に表示されており、音声出力装置１２から音声は出力されない。すなわち、ユーザーは、映像３３および字幕３４をいずれも視覚的に捉えることにより、関連コンテンツの内容を理解することができる。すなわち、ユーザーは、関連コンテンツの内容が「バイオエタノール燃料に関連する車の発表」に関する内容であることを理解することができる。すなわち、ユーザーは、本線コンテンツの内容である「バイオエタノール」が車の燃料としても使用できることを関連コンテンツを視聴することにより理解することができる。
【００９５】
表示領域２１には、再生されているコンテンツが表示領域２０において再生されているコンテンツの関連コンテンツであることが容易に理解できるような表示がされていることが好ましい。例えば、図６に示すように、表示領域２１に「関連コンテンツ」という表示をする。もちろん、逆に、表示領域２０に「本線コンテンツ」という表示をするようにしてもよい。
【００９６】
また、実施形態１と同様に、表示領域２０、２１には、映像３０、３３および字幕３２、３４だけでなく、出力されている音声がどのコンテンツのものであるのかを示すようにしてもよい。例えば、表示領域２０に音声が出力されていることを示すアイコン３６を表示し、表示領域２１に音声が出力されていないことを示すアイコン３７を表示するようにする。もちろん、これに限定されるものではなく、アイコン３６のみを表示するようにしてもよいし、アイコン３７を表示するようにしてもよい。また、従属コンテンツが複数表示される場合には、アイコン３７も複数表示されることが好ましい。
【００９７】
コンテンツ再生装置１ｂは、関連コンテンツを単に字幕ベースで再生するだけではなく、動画コンテンツに含まれている複数の異なる話題（トピック）を適宜抽出することによって、話題単位での関連コンテンツ視聴をも可能にする。これによって、ユーザーは、関連コンテンツのうち、本線コンテンツに関連性の高い部分のみを短時間のうちに理解することができる。
【００９８】
（関連コンテンツの選択）
関連コンテンツ選択部５３は、話題相関データベース５２に基いて、関連コンテンツとして再生するコンテンツを選択する。関連コンテンツの選択方法は、特に限定されるものではない。例えば、本線コンテンツとして再生されている話題に対して相関度を有する話題を関連コンテンツとして全て選択するようにしてもよいし、相関度が予め設定された閾値以上の話題を関連コンテンツとして選択するようにしてもよい。他にも、予め関連コンテンツとして再生する動画コンテンツの数が決まっている場合には、相関度の高い順に予め決定されている数の話題を関連コンテンツとして選択するようにしてもよいし、本線コンテンツに対して最も相関度の高い話題を関連コンテンツとして選択するようにしてもよい。
【００９９】
なお、閾値および関連コンテンツとして選択する数は、ユーザーが任意に設定できるようにしてもよいし、コンテンツ再生装置１ｂにおいて予め決定されていてもよい。
【０１００】
（話題相関データベース作成部５１の動作の詳細）
本実施形態における話題相関データベース５２の作成の詳細な方法について、以下に説明する。ここでは、話題α、βおよびγ間の話題相関データベースの作成を例に挙げて説明する。
【０１０１】
まず、話題相関データベース作成部５１は、話題αと話題βとの相関度を算出する。話題αは、キーワードとして、例えば「バイオエタノール」、「ガソリン」、および「高騰」を含んでいる。一方、話題βは、キーワードとして、例えば「年金問題」および「社会保険庁」を含んでいる。両者に共通するキーワードは一つもない。そのため話題相関データベース作成部５１は、話題αと話題βとの相関度として「０」を算出する。この値は基準を超えていないので、話題αと話題βとは関連付けられない。
【０１０２】
話題相関データベース作成部５１は、次に話題αと話題γとの相関度を算出する。話題γは、キーワードとして、例えば「高騰」、「ガソリン」、および「原油価格」を含んでいる。話題αと話題γとでは、２つのキーワードすなわち「高騰」および「ガソリン」が共通している。そこで、話題相関データベース作成部５１は、「高騰」の評価値および「ガソリン」の評価値をそれぞれ重み付け演算することによって、話題αと話題γとの相関度を算出する。
【０１０３】
具体的には次の通りである。話題相関データベース作成部５１は共通するキーワードごとの評価値の積を算出する。まず、話題αにおける「ガソリン」の評価値（例えば、０．７２）と、話題γにおける「ガソリン」の評価値（例えば、０．７３）とを掛け合わせた値を得る。その値は０．５２５６である。次に、話題αにおける「高騰」の評価値（例えば、０．３４）と、話題γにおける「高騰」の評価値（例えば、０．９２）とを掛け合わせた値を得る。その値は０．３１２８である。話題相関データベース作成部５１はキーワードごとに算出した積を加算し所定の相関度を得る。その値は０．５２５６＋０．３１２８＝０．８３８４である。すなわち話題相関データベース作成部５１は、話題αと話題γとの相関度として「０．８３８４」を算出する。この値は基準値を超えているので、話題相関データベース作成部５１は話題αと話題γとを関連付ける。
【０１０４】
最後に、話題相関データベース作成部５１は、話題βと話題γとの相関度を算出する。両者には共通するキーワードは１つもないので、相関度として「０」を算出する。この値は基準値を超えていないので、話題βと話題γとを関連付けない。以上のようにして、話題相関データベース作成部５１は、話題α、話題β、および話題γ同士の相関度をそれぞれ算出する。そして、話題相関データベース作成部５１は、算出した相関度を管理する話題相関テーブルを作成し、作成した話題相関テーブルを話題相関データベースに登録する。
【０１０５】
（ユーザーデータベース５４を用いた場合）
ユーザーデータベース５４を利用した話題相関データベース５２の作成の詳細な方法について、以下に説明する。
【０１０６】
話題相関データベース作成部５１は、話題αとユーザ情報との相関度を算出する。話題αは、キーワードとして、例えば「バイオエタノール」、「ガソリン」、および「高騰」を含んでいる。一方、ユーザ情報は、キーワードとして、例えば「年金」および「保険」、「郵政」、および「民営化」を含んでいる。両者に共通するキーワードは一つもない。そのため話題相関データベース作成部５１は、話題αとユーザ情報との相関度として「０」を算出する。この値は基準値を超えていないので、話題αとユーザ情報とは関連付けられない。
【０１０７】
次に、話題相関データベース作成部５１は、話題βとユーザ情報との相関度を算出する。話題βは、キーワードとして、例えば「年金問題」および「社会保険庁」を含んでいる。部分的ではあるが、話題βとユーザ情報とでは、「年金」および「保険」が共通している。そこで、話題相関データベース作成部５１は、「年金」および「保険」の評価値をそれぞれ重み付け演算することによって、話題βとユーザ情報との相関度を算出する。
【０１０８】
具体的には次の通りである。話題相関データベース作成部５１はまず、部分的に共通するキーワードごとの、評価値の積を算出する。話題相関データベース作成部５１は、話題βにおける「年金問題」の評価値（例えば、０．８５）と、ユーザ情報における「年金」の評価値（例えば、０．８８）とを掛け合わせた値を得る。その値は０．７４８である。また、話題βにおける「社会保険庁」の評価値（例えば、０．４８）と、話題γにおける「保険」の評価値（例えば、０．７７）とを掛け合わせた値を得る。その値は０．３６９６である。話題相関データベース作成部５１は、キーワードごとに算出した積を加算することによって所定の相関度を算出する。その値は０．７４８＋０．３６９６＝１．１１７６である。すなわち、話題相関データベース作成部５１は、話題αとユーザ情報との相関度として「１．１１７６」を算出する。
【０１０９】
最後に、話題相関データベース作成部５１は、話題γとユーザ情報との相関度を算出する。両者には共通するキーワードは１つもないので、相関度として「０」を算出する。この値は基準値を超えていないので、話題αとユーザ情報１２０とは関連付けられない。以上のようにして、話題相関データベース作成部５１は、算出した相関度を管理する話題相関テーブルを作成し、作成した話題相関テーブルを話題相関データベースに登録する。
【０１１０】
（話題に含まれるキーワードの表示）
図６に示すように、関連コンテンツを判定する際に用いた話題に含まれるキーワード３５を表示領域２２に表示するようにしてもよい。これによって、ユーザーは、関連コンテンツを導くために用いたキーワードを容易に知ることができる。
【０１１１】
また、キーワード３５は、ユーザーにより選択可能である形式で表示することが好ましい。これによって、キーワードをウェブなどの検索のための検索用キーワードとして使用することもできるようになる。すなわち、キーワード３５においてユーザーが気になるキーワードがある場合、そのキーワードを選択することにより、選択されたキーワードが検索エンジンに与えられる。検索エンジンにより検索され、抽出されたウェウページ（１つ、または複数のいずれであってもよい）は、表示装置１１に表示される。これによって、選択したキーワードに関連するウェブ情報を取得することができる。この場合、表示装置１１には、関連コンテンツの他にも、関連ｗｅｂ情報が同時にされることになる。なお、キーワード３５の選択方法は、特に限定されるものではない。
【０１１２】
（本線コンテンツを従属コンテンツに切り替える切替方法）
実施形態１において説明したコンテンツ再生装置１と同様に、コンテンツ再生装置１ｂにおいても、本線コンテンツを従属コンテンツに切り替え可能であることが好ましい。本線コンテンツを従属コンテンツに切り替える方法の詳細については、実施形態１において詳述したため、ここではその説明を省略する。
【０１１３】
〔実施形態３〕
（コンテンツ再生システム１００の構成）
本発明に係るコンテンツ再生システムについて、実施形態３として図７〜９を参照しつつ、以下に説明する。本実施形態では、コンテンツ再生システムを構成する一方のコンテンツ再生装置が、携帯型情報端末（例えば、携帯電話、ＰＤＡなど）である場合を例に挙げて説明する。また、本実施形態では、実施形態１および２と同様に、付加情報が字幕である場合を例に挙げて説明する。
【０１１４】
図７は、コンテンツ再生システム１００の要部構成を示すブロック図である。コンテンツ再生システム１００は、コンテンツ再生装置（第１のコンテンツ再生装置）１ｃおよび携帯型情報端末（第２のコンテンツ再生装置）６０を備えている。
【０１１５】
（コンテンツ再生装置１ｃの構成）
図７に示すように、コンテンツ再生装置１ｃは、コンテンツ取得部５、本線コンテンツ再生制御部７、表示装置１１ｂ、音声出力装置１２、字幕データ抽出部（付加情報抽出手段）１０３、および通信部（送信手段）１０４を備えている。コンテンツ再生装置１ｃは、音声出力を伴い、かつ少なくとも映像を表示装置１１ｂに表示する形で字幕付コンテンツを再生する。
【０１１６】
（携帯型情報端末６０の構成）
図７に示すように、携帯型情報端末６０は、コンテンツ取得部５、コンテンツデータベース６ｂ、従属コンテンツ再生制御部８、表示装置１１ｃ、関連コンテンツ取得部５０、および通信部（受信手段）１０５を備えている。携帯型情報端末６０は、コンテンツ再生装置１ｃにおいて再生される字幕付コンテンツに関連する関連コンテンツを音声出力を伴うことなく、かつ字幕の表示タイミングに同期させて映像を表示装置１１ｃに表示する形で再生する。
【０１１７】
コンテンツ再生装置１ｃおよび携帯型情報端末６０の各部材の機能について、以下に説明する。なお、実施形態１および２と同様の部材については、同じ参照符号を付し、その詳細な説明を省略する。
【０１１８】
（表示装置１１ｂ、１１ｃ）
表示装置１１ｂは、コンテンツ再生装置１ｃにおける本線コンテンツ再生制御部７により再生される動画コンテンツを表示し、表示装置１１ｃは、携帯型情報端末６０における従属コンテンツ再生制御部８により再生される動画コンテンツを表示する。
【０１１９】
（字幕データ抽出部１０３）
字幕データ抽出部１０３は、本線コンテンツ再生制御部７により再生される再生される本線コンテンツの字幕データを抽出する。字幕付コンテンツからの字幕データの抽出は、従来公知の方法を用いて行う。
【０１２０】
本線コンテンツとして再生する動画コンテンツをコンテンツ取得部５から取得しつつ再生する場合には、字幕データ抽出部１０３は取得した動画コンテンツから字幕データを抽出する。抽出した字幕データは、コンテンツ再生装置１ｃに備えられたハードディスクドライブなどの記録媒体（図示しない）に、映像データと関連付けて保存しておくことが好ましい。これによって、記録媒体に蓄積された動画コンテンツを本線コンテンツとして再生する場合には、記録媒体に記録されている字幕データを用いることができる。
【０１２１】
（通信部１０４、１０５）
通信部１０４は、コンテンツ再生装置１ｃに備えられている通信手段であり、本線コンテンツとして再生する動画コンテンツの字幕データを携帯型情報端末６０に送信する。通信部１０５は、携帯型情報端末６０に備えられている通信手段であり、通信部１０４から送信された字幕データを受信する。
【０１２２】
通信部１０４および１０５は、互いが通信可能であれば、その具体的な手段は限定されるものではない。例えば、ＩｒＤＡおよびＢｌｕｅｔｏｏｔｈ（登録商標）のような無線通信であってもよく、有線通信であってもよい。また、ネットワーク通信を利用してもよい。
【０１２３】
（コンテンツ再生システム１００の動作）
コンテンツ再生システム１００の動作の一例について以下に説明する。
【０１２４】
コンテンツ取得部５は、取得した字幕付コンテンツを本線コンテンツとして再生する指示を受けると、字幕付コンテンツを、本線コンテンツ再生制御部７および字幕データ抽出部１０３へ送る。
【０１２５】
本線コンテンツ再生制御部７は、実施形態１および２と同様に、本線コンテンツ再生制御部７は、映像を表示装置１１で表示させつつ、その映像と同期させて音声を音声出力装置１２から出力する。すなわち、本線コンテンツ再生制御部７は、本線コンテンツを通常の再生方法により再生する。これによって、ユーザーは、従来と同様に、本線コンテンツの内容を、映像および音声から理解することができる。
【０１２６】
字幕データ抽出部１０３は、本線コンテンツとして再生する字幕付コンテンツから字幕データを抽出する。抽出された字幕データは、通信部１０４から携帯型情報端末６０の通信部１０５へと送られる。通信部１０４から字幕データを受信した通信部１０５は、字幕データを関連コンテンツ取得部５０へ送る。
【０１２７】
関連コンテンツ取得部５０は、字幕データに基づいて、本線コンテンツと関連性を有している字幕付コンテンツを関連コンテンツとして、コンテンツデータベース６から取得する。なお、関連コンテンツ取得部５０における関連コンテンツの取得は、実施形態２において詳述したためここではその説明を省略する。また、関連コンテンツは、携帯型情報端末６０の外部に備えられたデータベースからコンテンツ取得部５を介して取得してもよい。
【０１２８】
次に、従属コンテンツ再生制御部８は、関連コンテンツ取得部５０において取得された関連コンテンツの再生を開始する。すなわち、実施形態１および２において説明したように、字幕表示部９による字幕の表示タイミングに同期させて、表示対象の字幕に関連付けられている映像を、映像表示部１０が字幕と共に、表示装置１１ｃに表示する。このとき、関連コンテンツは音声を出力することなく再生される。これによって、ユーザーは、関連コンテンツの内容を、表示装置１１ｃに表示される映像および字幕から理解することができる。
【０１２９】
したがって、ユーザーは、本線コンテンツおよび従属コンテンツの内容をいずれも理解することができる。
【０１３０】
（コンテンツ再生システム１００による動画コンテンツの表示）
コンテンツ再生システム１００の表示装置１１ｂおよび１１ｃにおける各動画コンテンツの表示について、図８を参照して以下に説明する。図８は、コンテンツ再生システム１００における各動画コンテンツの表示を概略的に示す図である。
【０１３１】
本実施形態では、図８に示すように、表示装置１１ｂに本線コンテンツを再生し、もう一方の表示装置１１ｃの表示領域２１に関連コンテンツ（従属コンテンツ）を再生する場合について説明する。もちろん、実施形態１および２と同様に、従属コンテンツを再生する表示領域が２つ以上あってもよい。
【０１３２】
表示装置１１ｂでは、本線コンテンツ再生制御部７により再生される本線コンテンツの映像である映像３０が表示されると共に、映像３０と同期して出力される音声３１が音声出力装置１２より出力される。すなわち、ユーザーは、映像３０を視覚的に捉えつつ、音声３１を聞くことができるため、現在表示装置１１ｂにおいて再生されている本線コンテンツの内容が、バイオエタノールに関する内容であることを理解することができる。
【０１３３】
一方、表示装置１１ｃの表示領域２１では、従属コンテンツ再生制御部８により再生される従属コンテンツにおける字幕３４と、字幕３４に同期させて表示される映像３とが表示されている。このとき、従属コンテンツの音声は出力されない。しかし、ユーザーは、映像３３および字幕３４をいずれも視覚的に捉えることにより、その内容を理解することができる。
【０１３４】
これによって、本線コンテンツの内容が、バイオエタノールに関する内容であることを理解しつつ、表示領域２１において再生される従属コンテンツの内容が、燃料としてバイオエタノール燃料を用いる車の発表に関する内容であることを理解することができる。すなわち、同時に複数の動画コンテンツを再生する場合であっても、ユーザーは、本線コンテンツの内容と、従属コンテンツの内容とをいずれも理解することができる。また、ユーザーは、本線コンテンツの内容をより一層深く掘り下げて知ることもできる。
【０１３５】
なお、本線コンテンツ再生制御部７が、従属コンテンツ再生制御部８と同様に字幕表示部９および映像表示部１０を備えており、かつ、本線コンテンツ再生制御部７により再生される動画コンテンツが字幕付コンテンツである場合には、本線コンテンツにおいても、字幕３２を表示することができる。これによって、映像および音声に加えて、字幕からも本線コンテンツの内容を理解することができるため、ユーザーは、より一層容易に本線コンテンツの内容を理解することができる。
【０１３６】
（話題に含まれるキーワードの表示）
携帯型情報端末６０では、実施形態２と同様に、関連コンテンツを取得する際に用いた話題に含まれるキーワード３５を表示領域２２に表示するようにしてもよい。
【０１３７】
（コンテンツ再生システム１００の変形例）
コンテンツ再生システム１００では、携帯型情報端末６０で関連コンテンツのみを再生する場合について説明したが、これに限定されるものではない。例えば、携帯型情報端末が、関連コンテンツだけでなく、本線コンテンツも再生できるようにしてもよい。このような場合であっても、コンテンツ再生システム１００と同様の作用効果を得ることができる。
【０１３８】
（コンテンツ再生システム１００ｂの構成）
コンテンツ再生システム１００の変形例であるコンテンツ再生システム１００ｂの構成について、図９を参照して以下に説明する。図９は、コンテンツ再生システム１００ｂの要部構成を示すブロック図である。
【０１３９】
コンテンツ１００ｂは、コンテンツ再生装置１ｄおよび携帯型情報端末６０ｂを備えている。コンテンツ再生装置１ｄは、コンテンツ取得部５、本線コンテンツ再生制御部７、表示装置１１ｂ、音声出力装置１２ｂ、および通信部１０４を備えている。携帯型情報端末６０ｂは、コンテンツ再生制御部２、コンテンツ取得部５、コンテンツデータベース６ｂ、本線コンテンツ再生制御部７、従属コンテンツ再生制御部８、字幕表示部９、映像表示部１０、表示装置１１ｃ、音声出力装置１２ｃ、および通信部１０５を備えている。
【０１４０】
（コンテンツ再生システム１００ｂの動作）
コンテンツ再生システム１００ｂの動作は、コンテンツ再生システム１００とほぼ同様であるため、コンテンツ再生システム１００との相違部分のみを説明し、その詳細な説明は省略する。
【０１４１】
コンテンツ再生システム１００ｂは、コンテンツ再生装置１ｄにおいて再生される本線コンテンツを携帯型情報端末６０ｂにおいても再生する。そのため、通信部１０４は、コンテンツ再生装置１ｄにおいて再生される本線コンテンツのコンテンツデータを全て携帯型情報端末６０ｂへ送信する。携帯型情報端末６０ｂは、通信部１０５においてコンテンツ再生装置１ｄにおいて再生される本線コンテンツのコンテンツデータを受信し、携帯型情報端末６０ｂに備えられた本線コンテンツ再生制御部７により再生する。
【０１４２】
なお、コンテンツ再生システム１００ｂにおける表示装置１１ｂにおける表示の概要は、テレビなど従来公知のコンテンツ再生装置による表示と変わらないため、ここではその詳細な説明を省略する。また、表示装置１１ｃにおける表示の概要は、図６において示した図と同様であるため、ここではその詳細な説明を省略する。
【０１４３】
（プログラムおよび記録媒体）
最後に、コンテンツ再生装置１、１ｂに含まれている各ブロックは、ハードウェアロジックによって構成すればよい。または、次のように、ＣＰＵ（Ｃｅｎｔｒａｌ  Ｐｒｏｃｅｓｓｉｎｇ  Ｕｎｉｔ）を用いてソフトウェアによって実現してもよい。
【０１４４】
すなわちコンテンツ再生装置１、１ｂは、各機能を実現するプログラムの命令を実行するＣＰＵ、このプログラムを格納したＲＯＭ（Ｒｅａｄ  Ｏｎｌｙ  Ｍｅｍｏｒｙ）、上記プログラムを実行可能な形式に展開するＲＡＭ（Ｒａｎｄｏｍ  Ａｃｃｅｓｓ  Ｍｅｍｏｒｙ）、および、上記プログラムおよび各種データを格納するメモリ等の記憶装置（記録媒体）を備えている。この構成により、本発明の目的は、所定の記録媒体によっても、達成できる。
【０１４５】
この記録媒体は、上述した機能を実現するソフトウェアであるコンテンツ再生装置１、１ｂのプログラムのプログラムコード（実行形式プログラム、中間コードプログラム、ソースプログラム）をコンピュータで読み取り可能に記録していればよい。コンテンツ再生装置１に、この記録媒体を供給する。これにより、コンピュータとしてのコンテンツ再生装置１（またはＣＰＵやＭＰＵ）が、供給された記録媒体に記録されているプログラムコードを読み出し、実行すればよい。
【０１４６】
プログラムコードをコンテンツ再生装置１、１ｂに供給する記録媒体は、特定の構造または種類のものに限定されない。すなわちこの記録媒体は、たとえば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などとすることができる。
【０１４７】
また、コンテンツ再生装置１、１ｂを通信ネットワークと接続可能に構成しても、本発明の目的を達成できる。この場合、上記のプログラムコードを、通信ネットワークを介してコンテンツ再生装置１、１ｂに供給する。この通信ネットワークはコンテンツ再生装置１にプログラムコードを供給できるものであればよく、特定の種類または形態に限定されない。たとえばインターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等であればよい。
【０１４８】
この通信ネットワークを構成する伝送媒体も、プログラムコードを伝送可能な任意の媒体であればよく、特定の構成または種類のものに限定されない。たとえばＩＥＥＥ１３９４、ＵＳＢ（Ｕｎｉｖｅｒｓａｌ  Ｓｅｒｉａｌ  Ｂｕｓ）、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお本発明は、上記プログラムコードが電子的な伝送で具現化された、搬送波に埋め込まれたコンピュータデータ信号の形態でも実現され得る。
【０１４９】
以上、本発明を実施形態に基づいて具体的に説明したが、本発明は、上述した各実施形態に限定されるものではなく、請求項に示した範囲において種々の変更が可能であり、異なる実施形態にそれぞれ開示された技術的手段を適宜組み合わせて得られる実施形態についても本発明の技術的範囲に含まれる。
【産業上の利用可能性】
【０１５０】
本発明に係るコンテンツ再生装置は、複数の動画コンテンツを同時に再生することができるテレビ（テレビジョン受信機）の他、複数の動画コンテンツを再生する機能を備えた携帯電話、またはＰＤＡなどに幅広く利用することができる。
【図面の簡単な説明】
【０１５１】
【図１】実施形態１に係るコンテンツ再生装置の要部構成を示すブロック図である。
【図２】実施形態１に係るコンテンツ再生装置の表示装置上での動画コンテンツの表示を概略的に示す図である。
【図３】本線コンテンツと従属コンテンツとを入れ替えた場合の各動画コンテンツの表示を概略的に示す図である。
【図４】実施形態２に係るコンテンツ再生装置の要部構成を示すブロック図である。
【図５】実施形態２に係る関連コンテンツ取得部の構成を示すブロック図である。
【図６】実施形態２に係るコンテンツ再生装置の表示装置上での動画コンテンツの表示を概略的に示す図である。
【図７】実施形態３に係るコンテンツ再生システムの要部構成を示すブロック図である。
【図８】実施形態３に係るコンテンツ再生システムにおける各動画コンテンツの表示を概略的に示す図である。
【図９】実施形態３に係るコンテンツ再生システムの変形例の要部構成を示すブロック図である。
【符号の説明】
【０１５２】
１、１ｂ、１ｃ、１ｄ  コンテンツ再生装置
２                    コンテンツ再生制御部
３                    コンテンツ切替部
４                    操作入力部
５                    コンテンツ取得部
６                    コンテンツデータベース
７                    本線コンテンツ再生制御部（第１のコンテンツ再生制御手段）
８                    従属コンテンツ再生制御部（第２のコンテンツ再生制御手段）
９                    字幕表示部
１０                  映像表示部
１１、１１ｂ、１１ｃ  表示装置
１２、１２ｂ、１２ｃ  音声出力装置
５０                  関連コンテンツ取得部
５１                  話題相関データベース作成部
５２                  話題相関データベース
５３                  関連コンテンツ選択部
５４                  ユーザーデータベース
６０、６０ｂ          携帯型情報端末（第２のコンテンツ再生装置）
１００、１００ｂ      コンテンツ再生システム
１０３                字幕情報抽出部（付加情報抽出手段）
１０４                通信部（送信手段）
１０５                通信部（受信手段）
【図１】
0005073535.tif 000002
【図２】
0005073535.tif 000003
【図３】
0005073535.tif 000004
【図４】
0005073535.tif 000005
【図５】
0005073535.tif 000006
【図６】
0005073535.tif 000007
【図７】
0005073535.tif 000008
【図８】
0005073535.tif 000009
【図９】
0005073535.tif 000010